(57)【要約】【課題】操作履歴が、どの操作員によるものかを特定できる運転操作履歴監視装置を得る。【解決手段】プラントの監視操作を行う操作員１〜３が運転操作する監視操作画面を表示する監視操作盤１１〜１３、監視操作盤１１〜１３における運転操作の情報が入力され、その運転操作の情報とその運転操作の情報が入力されたときの時間情報を付加した操作履歴を出力する操作情報処理部２１、出力された操作履歴によりプラント機器を操作する機器操作部２２、出力された操作履歴を保存するための操作情報保存装置２５及び保存処理を行う操作情報保存処理部２３、出力された操作履歴を受けて印字装置２６により表示・印字する操作情報表示・印字処理部２４、操作情報表示・印字処理部２４から出力された操作履歴を表示する指令員用監視操作盤１４、操作員１〜３の誰がどの監視操作盤１１〜１３を操作したかを操作履歴に付加する操作手段を備える。【選択図】図１
2012003384.tif 000002
【特許請求の範囲】
【請求項１】
プラントの監視操作を行う複数の操作員がそれぞれ運転操作する第１の監視操作画面を表示する複数の監視操作盤、
上記監視操作盤を特定する情報とその特定された監視操作盤で行われている運転操作の情報が入力され、上記運転操作の情報に時間情報を付加した操作履歴を出力する操作情報処理部、
上記操作情報処理部から出力された上記操作履歴によりプラント機器を操作する機器操作部、
上記操作情報処理部から出力された上記操作履歴を保存するための操作情報保存装置及び上記操作情報保存装置に上記操作履歴の保存処理を行う操作情報保存処理部、
上記操作情報処理部から出力された上記操作履歴を受けて印字装置により表示・印字する操作情報表示・印字処理部、
上記操作情報表示・印字処理部から出力された上記操作履歴が表示される第２の監視操作画面を有し、指令員が監視するための指令員用監視操作盤、
上記操作員のうちの誰が上記監視操作盤のうちのどれを操作したかという操作員情報を上記操作履歴に付加する操作手段を備えたことを特徴とする運転操作履歴監視装置。
【請求項２】
上記操作手段は、上記指令員が上記操作員情報を上記第２の監視操作画面に入力して上記操作員情報を上記操作履歴に付加するものであることを特徴とする請求項１に記載の運転操作履歴監視装置。
【請求項３】
上記操作手段は、上記監視操作盤が上記操作員情報を上記操作員の生体で特定し、上記特定した操作員名とともに上記運転操作の情報を上記操作情報処理部に出力するものであることを特徴とする請求項１に記載の運転操作履歴監視装置。
【請求項４】
上記操作手段は、上記監視操作盤が上記操作員情報をパスワードまたはＩＣカードにより特定し、上記特定した操作員名とともに上記運転操作の情報を上記操作情報処理部に出力するものであることを特徴とする請求項１に記載の運転操作履歴監視装置。
【請求項５】
上記第２の監視操作画面に表示された操作履歴に基づき、該操作履歴に対応する上記第１の監視操作画面を表示する機能を備えたことを特徴とする請求項１に記載の運転操作履歴監視装置。
【請求項６】
上記運転操作が設定されたプラントの運転操作要領があり、上記指令員が上記プラントの運転操作要領に設定された運転操作を選択して上記操作員に通報するとともに、上記指令員用監視操作盤を介して上記操作情報表示・印字処理部に出力し、上記操作情報表示・印字処理部が上記操作情報処理部から出力された上記運転操作の情報と上記指令員が選択した運転操作とを比較して、上記操作員の誤操作を検出することを特徴とする請求項１に記載の運転操作履歴監視装置。
【発明の詳細な説明】
【技術分野】
【０００１】
この発明は、プラントを監視制御する監視操作盤を運転操作する操作員の操作を監視する運転操作履歴監視装置に関するものである。
【背景技術】
【０００２】
運転操作履歴監視装置は、例えば、特許文献１に記載されているように、操作員が監視制御する表示部を有する監視操作盤と、各監視操作盤が操作員によって運転操作されたときにその運転操作に基づきプラントを監視し、かつ制御する計算機と、各監視操作盤による運転操作の情報を表示するオペレータコンソールとを有する。
【０００３】
計算機は、各監視操作盤による運転操作の情報が入力され、入力されたときの時間情報を付加して出力する操作情報入力処理部と、操作情報入力処理部から送信された時間情報を付加した運転操作の情報を受けて送信された運転操作の情報に基づきプラントを監視制御するプラント監視制御部と、操作情報入力処理部から送信された時間情報を付加した運転操作の情報を受けて、この運転操作の情報に基づきその送信された運転操作の情報がどの監視操作盤のどのような内容であるかを検索し判定する検査・保存処理部と、検査・保存処理部で検索し判定した運転操作の情報を格納する操作履歴保存手段とを備えている。この構成により、オペレータコンソールの表示部に表示した各監視操作盤による運転操作の情報を各操作員が監視することができる。
【先行技術文献】
【特許文献】
【０００４】
【特許文献１】特開平９−５０２３０号公報（００５２〜００５７、図７，１１，１２）
【発明の概要】
【発明が解決しようとする課題】
【０００５】
大規模プラントにおいては、複数の操作員が運転操作をしているため、誰がどの監視操作盤でどのような監視操作をしているかを監視可能とする機能が求められている。
【０００６】
上記特許文献１に記載の運転操作履歴監視装置では、どの監視操作盤でどのような監視操作を行っていたかという操作履歴は分かるが、その操作履歴がどの操作員のものであるかを把握することはできないという問題がある。
【０００７】
また、プラントを監視制御する監視操作盤においては、ディスプレイを用いたソフトウェア操作器による運転操作が主流になってきている。このような監視操作盤においては、操作員が操作する監視操作盤に対して、監視操作盤における操作情報を発令する指令員が存在するが、指令員は操作員を目視で監視することになるため、操作履歴がどの操作員のものであるかを特定することが困難であるという問題がある。
【０００８】
この発明は、上記のような問題を解決するためになされたものであり、操作履歴が、どの操作員によるものかを特定できる運転操作履歴監視装置を得る。
【課題を解決するための手段】
【０００９】
この発明に係る運転操作履歴監視装置は、プラントの監視操作を行う複数の操作員がそれぞれ運転操作する第１の監視操作画面を表示する複数の監視操作盤、
上記監視操作盤を特定する情報とその特定された監視操作盤で行われている運転操作の情報が入力され、上記運転操作の情報に時間情報を付加した操作履歴を出力する操作情報処理部、
上記操作情報処理部から出力された上記操作履歴によりプラント機器を操作する機器操作部、
上記操作情報処理部から出力された上記操作履歴を保存するための操作情報保存装置及び上記操作情報保存装置に上記操作履歴の保存処理を行う操作情報保存処理部、
上記操作情報処理部から出力された上記操作履歴を受けて印字装置により表示・印字する操作情報表示・印字処理部、
上記操作情報表示・印字処理部から出力された上記操作履歴が表示される第２の監視操作画面を有し、指令員が監視するための指令員用監視操作盤、
上記操作員のうちの誰が上記監視操作盤のうちのどれを操作したかという操作員情報を上記操作履歴に付加する操作手段を備えたものである。
【発明の効果】
【００１０】
この発明に係る運転操作履歴監視装置によれば、プラントの監視操作を行う複数の操作員がそれぞれ運転操作する第１の監視操作画面を表示する複数の監視操作盤、
上記監視操作盤を特定する情報とその特定された監視操作盤で行われている運転操作の情報が入力され、上記運転操作の情報に時間情報を付加した操作履歴を出力する操作情報処理部、
上記操作情報処理部から出力された上記操作履歴によりプラント機器を操作する機器操作部、
上記操作情報処理部から出力された上記操作履歴を保存するための操作情報保存装置及び上記操作情報保存装置に上記操作履歴の保存処理を行う操作情報保存処理部、
上記操作情報処理部から出力された上記操作履歴を受けて印字装置により表示・印字する操作情報表示・印字処理部、
上記操作情報表示・印字処理部から出力された上記操作履歴が表示される第２の監視操作画面を有し、指令員が監視するための指令員用監視操作盤、
上記操作員のうちの誰が上記監視操作盤のうちのどれを操作したかという操作員情報を上記操作履歴に付加する操作手段を備えたものであるので、操作履歴が、どの操作員によるものかを簡単に特定できる運転操作履歴監視装置が得られる。
【図面の簡単な説明】
【００１１】
【図１】この発明に係る運転操作履歴監視装置の実施形態１を示すブロック図である。
【図２】操作員によって操作される監視操作画面の一例を示す図である。
【図３】指令員用監視操作盤の監視操作画面の一例を示す図である。
【図４】実施の形態４において、操作員の誤操作を検出する過程を示すフローチャートである。
【発明を実施するための形態】
【００１２】
以下、この発明の実施の形態を図に基づいて説明する。
実施の形態１．
図１は、この発明に係る運転操作履歴監視装置の実施形態１を示すブロック図である。この実施の形態１の運転操作履歴監視装置は、図１に示したように、操作員１〜３が操作する第１の監視操作画面を表示する監視操作盤１１〜１３、監視操作盤１１〜１３による運転操作の情報が入力され、運転操作の情報に入力されたときの時間情報を付加した操作履歴を出力する操作情報処理部２１、操作情報処理部２１から出力された操作履歴によりプラント機器３１を操作する機器操作部２２、操作情報処理部２１から出力された操作履歴を保存するための操作情報保存装置２５及び保存処理を行う操作情報保存処理部２３、操作情報処理部２１から出力された操作履歴を印字装置２６により表示・印字する操作情報表示・印字処理部２４、表示・印字処理部２４から出力された操作履歴を第２の監視操作画面に表示する指令員用監視操作盤１４を備えている。また、この実施の形態１においては、後述のように、操作員のうちの誰が上記監視操作盤のうちのどれを操作したかという操作員情報を上記操作履歴に付加する操作手段を備えている。
【００１３】
図２は、操作員によって操作される第１の監視操作画面の一例を示す図である。操作員１〜３は、第１の監視操作画面５のプラントの概略図上に示されているポンプ５１や弁５２などの機器のシンボルを選択することにより、第１の監視操作画面５上にソフトウェア操作器５３が表示され、ソフトウェア操作器５３のボタンをクリックまたはタッチすることにより、機器操作部２２を起動し、プラント機器の操作を実施することができる。
【００１４】
図３は、指令員用監視操作盤の第２の監視操作画面の一例を示す図である。指令員用監視操作盤１４の第２の監視操作画面６３の操作情報表示エリア６１では、操作情報処理部２１から操作情報表示・印字処理部２４を介して出力された操作履歴に基づき、操作員の運転操作の情報が時系列順に並べて表示される。ページ切替ボタン６２は、１画面では表示できない運転操作の情報を、ページ切替により表示するためのボタンである。また、第２の監視操作画面６３では、操作員が運転操作に用いた第１の監視操作画面５が表示される。
【００１５】
この実施の形態１において、操作員１〜３が、ソフトウェア操作機器５３により運転操作を実施すると、操作履歴は、操作情報処理部２１によって、機器操作部２２、操作情報処理部２３及び操作情報表示・印字処理部２４に出力される。操作情報表示・印字処理部２４から、操作履歴が、指令員用監視操作盤１４に出力され、第２の監視操作画面６３に表示される。また、後述のように、指令員４によって操作員情報が第２の監視操作画面６３に入力され、操作履歴に操作員情報が付加される。
【００１６】
監視操作画面６３の操作情報表示エリア６１では、監視操作盤１１〜１３の番号または名称、監視操作時の第１の監視操作画面５の番号または名称、ソフトウェア操作器５３の番号または名称、ソフトウェア操作器５３のボタンの番号または名称等の監視操作盤１１〜１３を特定する情報とその特定の監視操作盤１１〜１３でどのような操作が行われたかという運転操作の情報が表示される。
【００１７】
この実施の形態１においては、指令員４は、どの操作員１〜３がどの監視操作盤１１〜１３を操作しているかが見える位置におり、前述の操作手段は、指令員４が第２の監視操作画面に操作員情報を入力して操作員情報を操作履歴に付加するものである。これにより、操作履歴が、どの操作員１〜３によるものかを特定することができる。
【００１８】
また、操作員１〜３が別の監視操作盤１１〜１３の操作を開始した際には、そのことを指令員４は指令員用監視操作盤１４に記録することによって、別の監視操作盤１１〜１３を操作した操作履歴を含めた操作履歴の操作員１〜３を特定することができる。
【００１９】
この実施の形態１によれば、指令員用監視操作盤１４に、どの監視操作盤１１〜１３によってどのような内容の操作が行われたかという操作履歴を表示するとともに、指令員４が第２の監視操作画面６３に操作員情報を入力して操作員情報を操作履歴に付加し、指令員４は、操作員情報を操作履歴に付加した第２の監視操作画面６３を見て監視できるようにしたので、目視で操作員情報を取得する場合に比べて、簡単に操作履歴が、どの操作員によるものかを特定することができる。
【００２０】
実施の形態２．
上記実施の形態１では、操作員１〜３がどの監視操作盤１１〜１３を操作しているかを、指令員４の目視によって認証できるようにした。この実施の形態２では、監視操作盤１１〜１３が、操作員１〜３の指紋、網膜、虹彩、顔、血管、声紋などの生体で操作員情報をを特定し、特定した操作員名とともに運転操作の情報を操作情報処理部２１に出力するものである。
【００２１】
さらに、監視操作盤１１〜１３が、パスワードやＩＣカードなどにより、監視操作盤１１〜１３が操作員情報を特定し、特定した操作員名とともに運転操作の情報を操作情報処理部２１に出力するようにしてもよい。
【００２２】
実施の形態３．
この実施の形態３では、上記実施の形態１及び実施の形態２において、指令員用監視操作盤１４の監視操作画面６３の操作情報表示エリア６１上に表示された操作履歴をクリックまたはタッチすることにより、クリックまたはタッチした操作履歴に対応する監視操作盤１１〜１３の第１の監視操作画面５を指令員用監視操作盤１４の第２の監視操作画面６３表示する機能を有するものである。
【００２３】
実施の形態４．
この実施の形態４は、プラントの運転操作要領に基づき、操作員１〜３の誤操作を検出する機能を有するものである。
【００２４】
図４は、この実施の形態４において、操作員の誤操作を検出する過程を示すフローチャートである。
【００２５】
運転操作の開始にあたり、指令員４により、操作員１〜３へ運転操作の開始を指示する（Ｓ１）。
次に、指令員４は、プラントの運転操作要領に設定され運転操作から、その局面（例えば、平常時または異常時）に合った運転操作を選択して操作員１〜３に通知するとともに操作情報表示・印字処理部２４に出力する（図１の破線矢印）（Ｓ２）。この際における通知は、通信回線等の手段を利用することができる。
次に、操作情報処理部２１は、操作員１〜３の運転操作を受付け、機器操作部２２及び操作情報表示・印字処理部２４に操作履歴を出力する（Ｓ３）。
次に、操作情報表示・印字処理部２４は、指令員４に選択された運転操作要領に設定された運転操作と、操作員の操作履歴中の運転操作の情報とを比較し（Ｓ４）、運転操作の情報が指令員４に選択された運転操作と同じかどうか判断する（Ｓ５）。同じであれば（Ｓ５においてＹＥＳであれば）、操作情報表示・印字処理部２４は、通常の方法で、指令員用監視操作盤１４に操作履歴を表示する（Ｓ６）。同じでなければ（Ｓ５においてＮＯであれば）、操作情報表示・印字処理部２４は、表示色を替える、または、ブリンクさせるなどの通常と異なる方法で、指令員用監視操作盤１４に操作履歴を表示する（Ｓ７）。操作員１〜３の運転操作の受付（Ｓ１）〜操作履歴の表示（Ｓ６またはＳ７）を繰り返す。
【００２６】
この実施の形態４によれば、指令員４が操作員１〜３の誤操作を瞬時に判断することができる。
【００２７】
なお、運転操作要領には異常な局面に対してどのような運転操作をするかが設定されている。この実施の形態４において、センサによる圧力、流量、温度、水位などの値により、プラントの異常な状況が発生したと判断する判断機能と、その異常な局面に対して予め設定された運転操作を選択する選択機能とを追加した構成とすることによって、指令員４が運転操作要領中の異常な局面における運転操作を選択する必要がなくなる。
【産業上の利用可能性】
【００２８】
この発明に係る運転操作履歴監視装置は、特に、大規模プラントの監視制御装置に有効に利用することができる。
【符号の説明】
【００２９】
１〜３  操作員、４  指令員、５  第１の監視操作画面、１１〜１３  監視操作盤、
１４  指令員用監視操作盤、２１  操作情報処理部、２２  機器操作部、
２３  操作情報保存処理部、２４  操作情報表示・印字処理部、
２５  操作情報保存装置、２６  印字装置、３１  プランと機器、５１  ポンプ、
５２  弁、６１  操作情報表示エリア、６２  ページ切替ボタン、
５３  ソフトウェア操作機器、６３  第２の監視操作画面。
【図１】
2012003384.tif 000003
【図２】
2012003384.tif 000004
【図３】
2012003384.tif 000005
【図４】
2012003384.tif 000006